【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
コンテンツにアクセスするために使用するアクセス情報を格納する格納手段と、
使用する移動通信ネットワークを特定する特定手段と、
前記特定手段が特定した移動通信ネットワークに対して取得処理を行う取得手段と、
を備えており、
前記取得手段は、前記取得処理において、前記特定手段が特定した移動通信ネットワークに対して前記アクセス情報に基づきアドレスを要求し、前記特定手段が特定した移動通信ネットワークから前記アドレスを取得すると、当該アドレス及び前記アクセス情報に基づき、前記特定手段が特定した移動通信ネットワークに関連付けられた前記コンテンツを取得することを試み、
前記格納手段が格納する前記アクセス情報は、複数の移動通信ネットワークに対して共通して使用できることを特徴とする移動通信装置。
【請求項２】
前記特定手段が特定した移動通信ネットワークが変更されると、前記取得手段は、変更前の移動通信ネットワークに関連付けられた前記コンテンツを削除することを特徴とする請求項１に記載の移動通信装置。
【請求項３】
前記取得手段は、前記特定手段が特定した移動通信ネットワークが変更されると、変更後の移動通信ネットワークに関連付けられた前記コンテンツを保持しているかを判定し、変更後の移動通信ネットワークに関連付けられた前記コンテンツを保持していないと、変更後の移動通信ネットワークに対して前記取得処理を行うことを特徴とする請求項１に記載の移動通信装置。
【請求項４】
前記取得手段は、前記特定手段が特定した移動通信ネットワークが変更された後、所定期間が経過すると、変更前の移動通信ネットワークに関連付けられた前記コンテンツを削除することを特徴とする請求項３に記載の移動通信装置。
【請求項５】
前記取得手段は、所定数の移動通信ネットワークに関連付けられた前記コンテンツを保持する様に構成され、
前記取得手段は、前記所定数の移動通信ネットワークに関連付けられた前記コンテンツを保持しているときに、前記特定手段が特定した移動通信ネットワークが前記所定数の移動通信ネットワークとは異なる移動通信ネットワークに変更されると、前記所定数の移動通信ネットワークのいずれかの移動通信ネットワークに関連付けられた前記コンテンツを削除することを特徴とする請求項３に記載の移動通信装置。
【請求項６】
前記格納手段は、１つ以上の第１アクセス情報を格納し、
前記取得手段は、前記特定手段が特定した移動通信ネットワークに関連付けられた前記コンテンツを保持していない場合、前記１つ以上の第１アクセス情報それぞれを用いて前記特定手段が特定した移動通信ネットワークに対して前記取得処理を行うことを特徴とする請求項１から５のいずれか１項に記載の移動通信装置。
【請求項７】
前記格納手段は、前記移動通信装置に対するユーザ操作に対応付けられる１つ以上の第２アクセス情報を格納し、
前記取得手段は、前記移動通信装置に対するユーザ操作に応答して、当該ユーザ操作に対応付けられる第２アクセス情報を用いて前記特定手段が特定した移動通信ネットワークに対して前記取得処理を行うことを特徴とする請求項１から６のいずれか１項に記載の移動通信装置。
【請求項８】
前記格納手段は、複数のアクセス情報を格納し、
前記取得手段は、前記複数のアクセス情報のうちの第１アクセス情報を使用して前記特定手段が特定した移動通信ネットワークに対する前記取得処理を行った際にエラーメッセージをインターネット上のサーバから受信すると、前記第１アクセス情報を無効にし、
前記取得手段は、前記第１アクセス情報を無効にしているときに前記特定手段が特定した移動通信ネットワークが変更されると、前記第１アクセス情報の無効を解除することを特徴とする請求項１から５のいずれか１項に記載の移動通信装置。
【請求項９】
前記格納手段は、複数のアクセス情報を格納し、
前記取得手段は、前記複数のアクセス情報のうちの第１アクセス情報を用いて前記特定手段が特定した移動通信ネットワークに対する前記取得処理を行って、前記複数のアクセス情報のうちの前記第１アクセス情報とは異なるアクセス情報それぞれの利用可否を判定することを特徴とする請求項１から５のいずれか１項に記載の移動通信装置。
【請求項１０】
前記アクセス情報は、ユニバーサルリソースロケータであることを特徴とする請求項１から９のいずれか１項に記載の移動通信装置。
【請求項１１】
前記特定手段が特定した移動通信ネットワークに関連付けられた前記コンテンツは、前記特定手段が特定した移動通信ネットワークが提供するアプリケーション、前記特定手段が特定した移動通信ネットワークが提供するサービスにアクセスするためのショートカットアイコン、前記特定手段が特定した移動通信ネットワークが提供するアプリケーションを取得するための情報、前記特定手段が特定した移動通信ネットワークが提供するサービスにアクセスするためのショートカットアイコンを取得するための情報、又は、前記特定手段が特定した移動通信ネットワークが提供するサービスにアクセスするための情報を含むことを特徴とする請求項１から１０のいずれか１項に記載の移動通信装置。
【請求項１２】
移動通信装置の１つ以上のプロセッサで実行されると、前記移動通信装置を請求項１から１１のいずれか１項に記載の移動通信装置として動作させることを特徴とするプログラム。
【請求項１３】
少なくとも第１移動通信ネットワークと第２移動通信ネットワークと、を含む通信システムであって、
前記第１移動通信ネットワークは、第１名前解決サーバを備え、
前記第２移動通信ネットワークは、第２名前解決サーバを備え、
前記第１名前解決サーバと前記第２名前解決サーバは、移動通信装置から受信する所定のドメイン名に対する名前解決要求に対して異なるサーバを示すアドレスを返す様に構成されていることを特徴とする通信システム。
【請求項１４】
少なくとも第１移動通信ネットワークと第２移動通信ネットワークと、を含む通信システムであって、
前記第１移動通信ネットワークは、第１名前解決サーバを備え、
前記第２移動通信ネットワークは、第２名前解決サーバを備え、
前記第１名前解決サーバは、複数のドメイン名のうちの１つ以上の第１ドメイン名に対する名前解決要求に対して対応するアドレスを返し、前記複数のドメイン名のうちの前記１つ以上の第１ドメイン名とは異なるドメイン名に対する名前解決要求に対してはアドレスを返さない、或いは、インターネット上のエラーサーバのアドレスを返す様に構成され、
前記第２名前解決サーバは、前記複数のドメイン名のうちの１つ以上の第２ドメイン名に対する名前解決要求に対して対応するアドレスを返し、前記複数のドメイン名のうちの前記１つ以上の第２ドメイン名とは異なるドメイン名に対する名前解決要求に対してはアドレスを返さない、或いは、インターネット上の前記エラーサーバのアドレスを返す様に構成され、
前記１つ以上の第１ドメイン名と前記１つ以上の第２ドメイン名で共通する第３ドメイン名に対する名前解決要求に対して前記第１名前解決サーバが返すアドレスに対応するサーバと、前記第２名前解決サーバが返すアドレスに対応するサーバは異なることを特徴とする通信システム。
【請求項１５】
前記複数のドメイン名のそれぞれは、複数のユニバーサルリソースロケータに含まれるドメイン名であり、
前記１つ以上の第１ドメイン名は、前記複数のユニバーサルリソースロケータのうちの第１ユニバーサルリソースロケータに含まれるドメイン名であり、
前記１つ以上の第２ドメイン名は、前記複数のユニバーサルリソースロケータのうちの第２ユニバーサルリソースロケータに含まれるドメイン名であり、
前記第１移動通信ネットワークは、前記複数のユニバーサルリソースロケータのうちの前記第１ユニバーサルリソースロケータを特定するための第１情報を保持する第１サーバを有し、
前記第２移動通信ネットワークは、前記複数のユニバーサルリソースロケータのうちの前記第２ユニバーサルリソースロケータを特定するための第２情報を保持する第２サーバを有し、
前記第１名前解決サーバは、前記複数のドメイン名のうちの第４ドメイン名に対する名前解決要求に対して前記第１サーバのアドレスを返し、
前記第２名前解決サーバは、前記第４ドメイン名に対する名前解決要求に対して前記第２サーバのアドレスを返すことを特徴とする請求項１４に記載の通信システム。